(57)【要約】      （修正有）【課題】上カゴに載置する食器の洗浄性を向上できるようにした食器洗浄機用食器カゴを提供する。【解決手段】前ガード４３の横方向両側の縦棒部４３１間に位置する上カゴ４２の前端の横棒部４２１の部分４２１ａを、前ガード４３の縦棒部４３１に合致する横棒部４２１の部分に対し上方にオフセットさせる。【選択図】図２
2008167845.tif 000002
【特許請求の範囲】
【請求項１】
食器洗浄機の洗浄槽内に設置される、下カゴと、下カゴの後部上方に設けられる、上方の起立位置と前方の倒伏位置とに起伏自在な上カゴとを備える食器カゴであって、上カゴを倒伏位置にした状態で上カゴの前端の横棒部より前方に位置し、上カゴに載置した食器が上カゴの前方に落ちることを防止する前ガードを備え、前ガードは、横方向両側に上カゴの前端の横棒部の上を通って後方にのびる縦棒部を有し、縦棒部の後端において上カゴに横方向の軸線回りに回動自在に連結されて、前ガードが上カゴの上に折り畳み自在になっているものにおいて、
前ガードの横方向両側の縦棒部間に位置する上カゴの前端の横棒部の部分が、前ガードの横方向両側の縦棒部に合致する横棒部の部分に対し上方にオフセットしていることを特徴とする食器洗浄機用食器カゴ。
【請求項２】
前記上カゴの後部に載置した食器を後方から支える後ガードを備え、後ガードの横方向外端寄りの部分は、横方向外方に向けて前方に傾斜していることを特徴とする請求項１記載の食器洗浄機用食器カゴ。
【発明の詳細な説明】
【技術分野】
【０００１】
本発明は、食器洗浄機の洗浄槽内に設置される食器洗浄機用食器カゴに関する。
【背景技術】
【０００２】
従来、この種の食器カゴとして、下カゴと、下カゴの後部上方に設けられる、上方の起立位置と前方の倒伏位置とに起伏自在な上カゴとを備えるものは知られている（例えば、特許文献１参照）。これによれば、上カゴを倒伏位置にしてその上にコップ、湯飲み茶碗等の食器を上下反転して載置することにより、これらの食器を洗浄することができる。また、上カゴを起立位置にすれば、大型の食器を上カゴとの干渉を生ずることなく下カゴに載置することができる。
【０００３】
このような食器カゴにおいて、上カゴを倒伏位置にした状態で上カゴの前端の横棒部より前方に位置し、上カゴに載置した食器が上カゴの前方に落ちることを防止する前ガードを備えるものも知られている。前ガードは、横方向両側に上カゴの前端の横棒部の上を通って後方にのびる縦棒部を有し、縦棒部の後端において上カゴに横方向の軸線回りに回動自在に連結されている。これにより、前ガードが上カゴの上に折り畳み自在になる。ここで、前ガードが上カゴに固定されている場合には、上カゴを起立位置にしたときに、前ガードが洗浄槽の天井部に干渉しないよう、洗浄槽の高さ寸法を大きくすることが必要になり、洗浄槽が大型化する。これに対し、上記のものでは前ガードを折り畳むことにより、上カゴを起立位置にしたときに上カゴの上方に前ガードが突出しない。従って、洗浄槽の高さ寸法を大きくしなくてもその天井部に前ガードは干渉せず、洗浄槽の大型化を回避できる。
【０００４】
尚、前ガードを上カゴの前端に回動自在に連結することも考えられる。然し、この場合には、前ガードを折り畳み状態から前方に伸展させたときに、前ガードが所定の伸展位置を越えて前下がりに傾動することを防止するため、前ガードにその伸展位置で上カゴの前端より後方部分に係合するストッパ部を設ける必要がある。そのため、前ガードを折り畳んだ状態で上カゴを起立位置にしたときに、ストッパ部が上カゴの上方に突出し、洗浄槽の大型化を回避できなくなる。
【０００５】
これに対し、上記の如く前ガードが上カゴの前端の横棒部の上方を通って後方にのびる縦棒部の後端において上カゴに回動自在に連結されていれば、前ガードを折り畳んだ状態で上カゴを起立位置にしたときに上カゴの上方に突出するようなストッパ部を設けずに済み、洗浄槽の大型化を回避できる。
【０００６】
然し、このものでは、前ガードの縦棒部が上カゴの前端の横棒部より上方に位置するため、上カゴの横方向外端寄りの部分にコップ、湯飲み茶碗等の食器を上下反転して載置したときに、以下の不具合を生ずる。即ち、食器の下向きの開口端が縦棒部とこの縦棒部より横方向内方に位置する横棒部の部分とに跨って載り、縦棒部と横棒部の高低差により、食器が下方に向けて横方向外方に傾斜する。そのため、洗浄槽内の中央部に設けられるセンターノズルから噴出される洗浄水が食器に入りにくくなり、洗浄性が悪くなる。
【特許文献１】特開２００４−３５１０８２号公報
【発明の開示】
【発明が解決しようとする課題】
【０００７】
本発明は、以上の点に鑑み、上記従来例を改良して、上カゴに載置する食器の洗浄性を向上できるようにした食器洗浄機用食器カゴを提供することをその課題としている。
【課題を解決するための手段】
【０００８】
上記課題を解決するために、本発明は、食器洗浄機の洗浄槽内に設置される、下カゴと、下カゴの後部上方に設けられる、上方の起立位置と前方の倒伏位置とに起伏自在な上カゴとを備える食器カゴであって、上カゴを倒伏位置にした状態で上カゴの前端の横棒部より前方に位置し、上カゴに載置した食器が上カゴの前方に落ちることを防止する前ガードを備え、前ガードは、横方向両側に上カゴの前端の横棒部の上を通って後方にのびる縦棒部を有し、縦棒部の後端において上カゴに横方向の軸線回りに回動自在に連結されて、前ガードが上カゴの上に折り畳み自在になっているものにおいて、前ガードの横方向両側の縦棒部間に位置する上カゴの前端の横棒部の部分が、前ガードの横方向両側の縦棒部に合致する横棒部の部分に対し上方にオフセットしていることを特徴とする。
【０００９】
本発明によれば、上カゴの横方向外端寄りの部分にコップ、湯飲み茶碗等の食器を上下反転して載置したとき、食器の下向きの開口端が前ガードの縦棒部とこの縦棒部より横方向内方に位置する上カゴの前端の横棒部の部分とに跨って載っても、横棒部のこの部分は上方にオフセットしているため、食器が下方に向けて横方向外方に傾かない。従って、食器に洗浄水が入りやすくなり、食器の洗浄性が向上する。
【００１０】
また、本発明においては、上カゴの後部に載置した食器を後方から支える後ガードを備え、後ガードの横方向外端寄りの部分は、横方向外方に向けて前方に傾斜していることが望ましい。従来、後ガードを備える食器カゴは知られているが、従来例の後ガードは横方向に真直である。これでは、上カゴの後部の横方向外端寄りの部分に載置する食器が洗浄槽の中央部から遠ざかり、洗浄水がかかりにくくなる。これに対し、後ガードの横方向外端寄りの部分が横方向外方に向けて前方に傾斜していれば、上カゴの後部の横方向外端寄りの部分に載置する食器の位置が前方にずれる。そのため、上カゴの横方向外端寄りの部分に載置する食器にも洗浄水がかかりやすくなり、洗浄性が向上する。
【発明を実施するための最良の形態】
【００１１】
図１を参照して、１は食器洗浄機を示している。この食器洗浄機１には、前方に引出し自在な洗浄槽２が内蔵されている。洗浄槽２の天井部は開閉自在な上蓋２１で構成されている。上蓋２１は、洗浄槽２を機外に引き出すときに図外の開閉機構により上動されて洗浄槽２から離脱する。また、洗浄槽２には前面扉２２が連結されている。
【００１２】
洗浄槽２には図外の給水弁を介して洗浄水が供給される。洗浄槽２の前部の底部には、洗浄槽２内に残菜フィルタ２３を介して連通する液溜り部２４が設けられている。そして、洗浄槽２の底部下側に液溜り部２４に連通する洗浄・排水ポンプ３が設置されている。洗浄・排水ポンプ３は、正転させたときに後述するノズルに洗浄水を供給し、逆転させたときに洗浄槽２からの排水を行う。
【００１３】
洗浄槽２内には食器類を載置する食器カゴ４が収納されている。食器カゴ４より下方の洗浄槽２内の部分には水平方向に長手の下ノズル５が配置されている。下ノズル５は、その長手方向中央部で鉛直軸線回りに旋回自在に支持されている。そして、洗浄・排水ポンプ３から洗浄水が供給されたとき、下ノズル５の複数のノズル孔５ａから洗浄水が食器カゴ４に向けて噴出され、洗浄水の噴出反力で下ノズル５が旋回する。また、下ノズル４の長手方向中央部にはセンターノズル６が立設されている。センターノズル６は下半部６１と下半部６１に上下動自在に挿設された上半部６２とで構成されている。洗浄・排水ポンプ３から洗浄水が供給されたとき、センターノズル６は下ノズル５と共に旋回しつつ水圧による上半部６２の上動で上方にのびる。そして、センターノズル６の上半部６２に形成した複数のノズル孔６２ａから洗浄水が噴出される。また、センターノズル６の下半部６１の上端には、後述する上カゴ４２の前載置部４２ａに上下反転して載置する食器Ｗの下向きの開口端に向けて洗浄水を噴出させるためのノズル孔６１ａと、後述する上カゴ４２の後載置部４２ｂに上下反転して載置する食器Ｗの下向きの開口端に向けて洗浄水を噴出させるためのノズル孔６１ｂとが形成されている。
【００１４】
図２乃至図４も参照して、食器カゴ４は、下カゴ４１と、下カゴ４１の後部上方に設けられる上カゴ４２とを備えている。下カゴ４１の後部の横方向両側部には上方にのびる立上り部４１１が設けられている。そして、上カゴ４２を立上り部４１１の上端に設けた横方向の軸部４１２に回動自在に連結し、上カゴ４２が上方の起立位置と前方の倒伏位置（図示の位置）とに起伏自在となるようにしている。
【００１５】
上カゴ４２を倒伏位置にすることで、上カゴ４２にコップ、湯のみ茶碗等の食器Ｗを上下反転して載置できる。上カゴ４２は前側と後側の２箇所の載置部４２ａ，４２ｂを備えている。各載置部４２ａ，４２ｂは前上がりに傾斜しており、各載置部４２ａ，４２ｂに食器Ｗが後傾姿勢で載置される。
【００１６】
また、上カゴ４２の主体は、前端の横棒部４２１と、この横棒部４２１の横方向両端から後方に屈曲してのび且つ各載置部４２ａ，４２ｂに対応して上下に波形に屈曲する一対の縦棒部４２２，４２２と、前載置部４２ａの前後方向中間位置で両縦棒部４２２，４２２間に跨るように設けられた横棒部４２３と、前後の載置部４２ａ，４２ｂの境界部で両縦棒部４２２，４２２間に跨るように設けられた、前載置部４２ａに載置した食器Ｗを後方から支える横棒部４２４とで構成されている。そして、各縦棒部４２２の後端が前記各立上り部４１１の上端の軸部４１２に回動自在に連結されている。
【００１７】
後載置部４２ｂには、食器Ｗを受ける網枠４２５が設けられている。各縦棒部４２２の後載置部４２ｂに合致する部分には横方向にＵ字状に屈曲する棒材４２６が取付けられており、この棒材４２６の前側の棒部に網枠４２５の前端が回動自在に連結され、棒材４２６の後側の棒部で網枠４２５が下方から支えられている。そして、上カゴ４２を起立位置にする際、後載置部４２ｂの下に載置されている食器に網枠４２５が当接しても、縦棒部４２２に対する網枠４２５の回動で上カゴ４２を起立位置まで回動できるようにしている。
【００１８】
また、食器カゴ４は、上カゴ４２を倒伏位置にした状態で上カゴ４２の前端の横棒部４２１より前方に位置し、上カゴ４２の前載置部４２ａに載置した食器Ｗが上カゴ４２の前方に落ちることを防止する前ガード４３を備えている。前ガード４３は横方向に長手の棒材で構成されている。また、前ガード４３は、横方向両側に上カゴ４２の前端の横棒部４２１の上を通って後方にのびる縦棒部４３１，４３１を有している。上カゴ４２には、前端の横棒部４２１の後方に位置する横棒部４２３の横方向両端をＵ字状に折り返して形成した横方向の軸線を持つ軸部４３２，４３２が設けられている。そして、前ガード４３を縦棒部４３１，４３１の後端において軸部４３２，４３２に回動自在に連結している。これにより、前ガード４３は上カゴ４２の上に折り畳み自在となる。
【００１９】
上カゴ４２を起立させるときは前ガード４３を折り畳んだ状態にする。これによれば、起立位置の上カゴ４２の上方に前ガード４３が突出しない。従って、洗浄槽２の高さ寸法を大きくしなくても、洗浄槽２の天井部の上蓋２１に前ガード４３は干渉せず、洗浄槽２の大型化を回避できる。
【００２０】
また、前ガード４３は、上カゴ４２の前端の横棒部４２１より後方位置で両縦棒部４３１，４３１の下面間に跨るように設けられた横棒部４３３を有している。この横棒部４３３の両端部は上カゴ４２の縦棒部４２２に上方から当接するストッパ部になっている。そして、前ガード４３を折り畳み状態から前方に伸展させたとき、前ガード４３が所定の伸展位置（図示の位置）を越えて前下がりに傾動することをストッパ部で防止できるようにしている。
【００２１】
ここで、上カゴ４２の前載置部４２ａの横方向外端寄りの部分に食器Ｗを上下反転して載置すると、食器Ｗの開口端が前ガード４３の縦棒部４３１とこの縦棒部４３１より横方向内方に位置する上カゴ４２の前端の横棒部４２１の部分とに跨って載る。そして、上カゴ４２の前端の横棒部４２１が横方向に真直であると、横棒部４２１の上に位置する前ガード４３の縦棒部４３１と横棒部４２１との高低差により、食器Ｗが下方に向けて横方向外方に傾斜した姿勢になる。これでは、センターノズル６のノズル孔６１ａから噴出される洗浄水が食器Ｗに入りにくくなり、洗浄性が悪くなる。
【００２２】
そこで、本実施形態では、上カゴ４２の前端の横棒部４２１の横方向外端寄りの部分を横方向内方に向けて上方に傾斜させている。そして、前ガード４３の横方向両側の縦棒部４３１，４３１間に位置する横棒部４２１の部分４２１ａが、前ガード４３の横方向両側の縦棒部４３１，４３１に合致する横棒部４２１の部分に対し上方（正確には前載置部４２ａの法線方向上方）にオフセットされ、前ガード４３の縦棒部４３１より若干上方に位置するようにしている。
【００２３】
これによれば、食器Ｗの下向きの開口端が前ガード４３の縦棒部４３１とこの縦棒部より横方向内方に位置する上カゴ４２の前端の横棒部４２１の部分４２１ａとに跨って載っても、横棒部４２１のこの部分４２１ａは上方にオフセットしているため、食器Ｗが下方に向けて横方向外方に傾かない。特に、本実施形態では、横棒部４２１の上記部分４２１ａが前ガード４３の縦棒部４３１より若干上方に位置するため、図４に示す如く、上カゴ４２の前載置部４２ａの横方向外端寄りの部分に載置する食器Ｗが下方に向けて横方向内方に傾く。従って、センターノズル６のノズル孔６１ａから噴出される洗浄水が食器Ｗに入りやすくなり、洗浄性が向上する。
【００２４】
また、食器カゴ４は、上カゴ４２の後載置部４２ｂに載置した食器Ｗを後方から支える後ガード４４を備えている。この後ガード４４は、横方向両側の立上り部４１１，４１１の後端間に跨る棒材で構成されている。後ガード４４の横方向外端寄りの部分は、横方向外方に向けて前方に傾斜する傾斜部４４ａに形成されている。
【００２５】
これによれば、上カゴ４２の後載置部４２ｂの横方向外端寄りの部分に上下反転して載置する食器Ｗの位置が、後ガード４４を横方向に真直に形成したものに比し前方にずれる。そのため、後載置部４２ｂの横方向外端寄りの部分に載置する食器Ｗにもセンターノズル６のノズル孔６１ｂから噴出する洗浄水が入りやすくなり、洗浄性が向上する。
【００２６】
以上、本発明の実施形態について図面を参照して説明したが、本発明はこれに限定されない。例えば、上記実施形態では、前ガード４３が所定の伸展位置を越えて前下がりに傾動することを防止するため、所定の伸展位置で前ガード４３の横棒部４３３の端部が上カゴ４２の縦棒部４２２の上に当接するようにしているが、横棒部４３３を省略し、所定の伸展位置で前ガード４３の縦棒部４３１が上カゴ４２の前端の横棒部４２１の上に当接するように構成することも可能である。
【００２７】
また、上記実施形態では、上カゴ４２の前端の横棒部４２１の上方へのオフセット部４２１ａが前ガード４３の縦棒部４３１より若干上方に位置するようにしたが、オフセット部４２１ａは前ガード４３の縦棒部４３１と同等高さであっても良い。
【図面の簡単な説明】
【００２８】
【図１】本発明の実施形態の食器カゴを具備する食器洗浄機の切断側面図。
【図２】実施形態の食器カゴの斜視図。
【図３】実施形態の食器カゴの平面図。
【図４】実施形態の食器カゴの上カゴの斜め前上方から見た正面図。
【符号の説明】
【００２９】
１…食器洗浄機、２…洗浄槽、４…食器カゴ、４１…下カゴ、４２…上カゴ、４２１…上カゴの前端の横棒部、４２１ａ…横棒部の上方へのオフセット部、４３…前ガード、４３１…縦棒部、４４…後ガード、４４ａ…後ガードの両端の傾斜部。
【図１】
2008167845.tif 000003
【図２】
2008167845.tif 000004
【図３】
2008167845.tif 000005
【図４】
2008167845.tif 000006